(57)【要約】【課題】まぐさで上下に仕切られた大開口の躯体開口部に適用でき、耐震性を向上させる効果の高い開口部用耐震補強枠の提供。【解決手段】左右の竪材１，１と横材２とで略Ｈ状に形成し、まぐさ７を配した躯体開口部３内に配置した基枠４と、基枠の上部を補強する補強パネル５と、基枠の下部を補強する複数の斜材６ａ，６ｂ，６ｃ，６ｄとを備え、左右の竪材１は、まぐさに設けた切除部１２を挿通し上下端部を躯体開口部３に固定してあり、補強パネル５は、左右の竪材１と躯体開口部３の上縁部に固定してあり、横材２はまぐさ７の下方に位置しており、斜材は、躯体開口部の中央部を避けて、正面視ほぼ菱形を成す配置とした。【選択図】　　　図１
2004108061.tif 000002
【特許請求の範囲】
【請求項１】
左右の竪材と横材とで略Ｈ状に形成し、上下方向の中間部にまぐさを配した躯体開口部内に配置した基枠と、基枠の上部を補強するために横材の上方位置に配置した補強パネルと、基枠の下部を補強するために横材の下方位置に配置した複数の斜材とを備え、左右の竪材は、まぐさに設けた切除部を挿通し上下端部を躯体開口部に固定してあり、補強パネルは、左右の竪材と躯体開口部の上縁部に固定してあり、横材はまぐさの下方に位置しており、斜材は、一端を横材の中間部に接合し他端を各竪材の横材下側の中間部に接合した左上斜材と右上斜材、並びに一端を躯体開口部の下縁部に設けた固定部材に接合し他端を各竪材の横材下側の中間部に接合した左下斜材と右下斜材であることを特徴とする開口部用耐震補強枠。
【発明の詳細な説明】
【０００１】
【発明の属する技術分野】
本発明は、まぐさを配置した躯体開口部用の耐震補強枠に関するものである。
【０００２】
【従来の技術】
木造住宅等においては、地震等による躯体の変形を防ぐために、軸組の要所要所に筋交いを斜めに入れて補強している。筋交いを入れた部分は、壁材を取り付けて建物の構造上の強度を受け持つ耐力壁となるものであり、採光等のために窓を設けるにはその部分とは別に開口部を設け、そこに窓を取り付けている。窓の部分は構造上の強度を受け持つ部分ではなく、大開口の窓部を設けるには、耐震強度を少なからず犠牲にしなければならなかった。
【０００３】
この問題を解決するための従来の対策としては、窓枠に筋交いを入れて補強した筋交い窓があった（例えば、特許文献１参照。）。
【０００４】
【特許文献１】
特開昭６１−１８３５９４号公報（第１−３頁、第１−４図）
【０００５】
【発明が解決しようとする課題】
しかし木造住宅の躯体開口部は、通常はまぐさによって上下に仕切られており、前記の筋交い窓をまぐさと土台の間の開口部に取り付けても、まぐさより上の部分は何ら補強されないので、耐震補強としては十分ではなかった。かといって、まぐさと胴差しの間に別の補強枠を取り付けるのは施工性が悪く、実用的ではない。また、一体の補強枠をまぐさとの干渉を避けるべく躯体の見込み方向から外れた所に取り付けてみても効果的な補強とは成り得ず、居住空間を狭めることとなりかえって不都合である。本発明はこうした実情に鑑みてなされたものであって、まぐさで上下に仕切られた大開口の躯体開口部に適用でき、耐震性を向上させる効果の高い開口部用耐震補強枠の提供を目的とする。
【０００６】
【課題を解決するための手段】
上記の課題を達成するために本発明の開口部用耐震補強枠は、左右の竪材と横材とで略Ｈ状に形成し、上下方向の中間部にまぐさを配した躯体開口部内に配置した基枠と、基枠の上部を補強するために横材の上方位置に配置した補強パネルと、基枠の下部を補強するために横材の下方位置に配置した複数の斜材とを備え、左右の竪材は、まぐさに設けた切除部を挿通し上下端部を躯体開口部に固定してあり、補強パネルは、左右の竪材と躯体開口部の上縁部に固定してあり、横材はまぐさの下方に位置しており、斜材は、一端を横材の中間部に接合し他端を各竪材の横材下側の中間部に接合した左上斜材と右上斜材、並びに一端を躯体開口部の下縁部に設けた固定部材に接合し他端を各竪材の横材下側の中間部に接合した左下斜材と右下斜材であることを特徴とする。
【０００７】
【発明の実施の形態】
以下、本発明の実施の形態を図面に基づいて説明する。図１から図４は、本発明の開口部用耐震補強枠の一実施形態を示しており、図１は室内側から見た正面図、図２は図１におけるＡ−Ａ断面図、図３は図１におけるＢ−Ｂ断面図、図４は図１におけるＣ−Ｃ断面図である。この実施形態では、土台９と胴差し１０及び左右２本の柱１１，１１によって躯体開口部３が構成され、その躯体開口部内に本発明の耐震補強枠を設置し、地震による躯体の変形を防止している。柱１１間にはまぐさ７を架設し、躯体開口部３を上下に仕切ってあり、まぐさ７と土台９の間の躯体開口部の室外側に、嵌め殺しタイプのサッシ窓３０を取り付けるものである。なお柱１１同士のピッチは９１０ｍｍである。
【０００８】
耐震補強枠は、左右２本の竪材１，１と１本の横材２とで略Ｈ状に形成した基枠４と、基枠の上部を補強するために横材２の上方位置に配置した補強パネル５と、基枠の下部を補強するために横材２の下方位置に配置した複数の斜材６ａ，６ｂ，６ｃ，６ｄとで構成されている。まぐさ７は図２と図３に示すように、両端部の室内側に切除部１２を設けてあり、竪材１はその切除部１２を挿通し、まぐさ７を上下に貫通している。まぐさ７には鉄製の補強板１３を設けて、切除部１２による強度低下を防止している。横材２は、まぐさ７のすぐ下の位置に配置してある。竪材１と横材２には、アルミ合金の中空押出し形材を使用している。
【０００９】
竪材１は室内側と室内側に固定片１４ａ，１４ｂを延設してあり、図４に示すように、竪材１はあて木１５ａ，１５ｂを当てて柱１１の側面に釘１６で固定されている。竪材１の上端部は、Ｌ字形の固定金具１７により胴差し１０に固定されている。また竪材１の下端部は、図５と図６に示すように、接合金具１８，１９を介して土台９に固定されている。接合金具１８は底板２０と、底板の左右両側に立設した断面コ字状の繋ぎ部２１とからなり、底板２０を土台９に突出して設けたアンカーボルト２２にナット３５で固定し、繋ぎ部２１同士の間に竪材１の下端部を配置し、その部分を室内側と室外側から２枚の板状の接合金具１９，１９で挟み、ボルト・ナット２３ａ，２３ｂを挿通して接合金具１８，１９と竪材１とを連結・固定している。
【００１０】
竪材１のまぐさ７より上の部分の室外側には、図３に示すように、角材２４をボルト・ナット２５で固定してあり、補強パネル５の側縁部を角材２４に釘２６で固定してある。また補強パネル５は、上縁部を胴差し１０の室外側面に当接させ、釘で固定してある。
【００１１】
斜材は、一端を横材２の中間部に接合し他端を各竪材１の横材下側の中間部に接合した左上斜材６ａと右上斜材６ｂ、並びに一端を躯体開口部３の下縁部に設けた固定部材８に接合し他端を各竪材１の横材下側の中間部に接合した左下斜材６ｃと右下斜材６ｄの計４本設けてあり、これらの斜材は正面から見て菱形を構成している。このように斜材を菱形に配置すると、一般的なＸ状に配置した場合に比べて、中央部が大きく開口し良好な視界を確保できる効果がある。また、１本ずつの斜材６ａ，６ｂ，６ｃ，６ｄの長さが短く、座屈が起き難いことから、基枠４の変形を防止する効果が高い。各斜材６ａ，６ｂ，６ｃ，６ｄは、棒状部材の両端部に繋ぎ板２７を固定したものである。竪材１と横材２及び固定部材８は、それぞれの中間部の内側面側に繋ぎ板２７を差し込むスリット状の孔を長手方向に形成してあり、また内部には繋ぎ板２７を挟む補強リブ２８，２８を有している。各斜材６ａ，６ｂ，６ｃ，６ｄは、図４に示すように、端部の繋ぎ板２７を竪材１等の内部に差し込み、ボルト・ナット２９を挿通して締め付けることにより、竪材１等に軸着してある。このような形で接合してあると、地震による振動を受けた場合に斜材が端部で回動して振動を吸収するから、接合箇所の破損を防止することができる。このように斜材は、その端部が振動を吸収し得る状態で竪材等に接合されているのが好ましく、この実施形態のように１本のピンで回動可能に軸着したものに限らず、振動を吸収し得る他の構造により行っても良く、例えば単純にボルトで止めるとしてボルトの抜き孔を長孔にしてワッシャーをかませた構造でも良い。
【００１２】
このように本耐震補強枠は、まぐさで上下に仕切られた躯体開口部を一体的な基枠で補強するものであり、且つ基枠の竪材はまぐさの切除部を挿通し、基枠が躯体構成部材の見込み方向の幅内に納まって配置されているので、まぐさの上下に別々の補強枠を設置した場合や、一体の補強枠をまぐさとの干渉を避けて設置した場合に比べ、躯体を補強する効果が高い。しかも基枠の横材がまぐさの下方位置に配置され、横材の上側を補強パネルによって補強し、横材の下側を四本の斜材によって補強して基枠の変形を確実に防止したので、建物の耐震性を効果的に向上できる。
【００１３】
次に、この耐震補強枠の施工手順を述べる。まず、切除部１２を設けたまぐさ７を柱１１間に架設する。次に左右の竪材１，１と横材２でＨ状の基枠４を構成し、基枠４の上部に補強パネル５を取り付けておく。次に基枠４を躯体開口部３内に配置し、竪材１の上端部と下端部を胴差し１０と土台９にそれぞれ固定するとともに、竪材１と柱１１の間にあて木１５ａ，１５ｂを挿入し、竪材１を柱１１に釘で打ち付ける。次に土台９上に固定部材８を設置し、４本の斜材６ａ，６ｂ，６ｃ，６ｄを取り付ける。最後に補強パネル５の上縁部を胴差し１０に釘で固定すれば耐震補強枠の取り付けは完了し、後は通常と同じようにサッシ窓３０を取り付け、外壁３１と内壁３２を施工する。なお図中の符号３３は、壁材を受ける束材である。
【００１４】
図７は、本発明の耐震補強枠の別の実施形態を示している。ここでは、柱１１同士のピッチが図１のものの４倍（３６４０ｍｍ）ある大開口の躯体開口部３の両袖部に２基の耐震補強枠を設置し、躯体開口部の室外側に４枚建ての引き違いのサッシ３４を取り付けている。耐震補強枠の構成や施工方法は、先に述べた実施形態のものと同じである。この耐震補強枠は、耐震性を向上させる機能が高く、斜材を菱形状に配置してなるべく視界の邪魔にならないようにしてあるので、このような大開口の躯体開口部に適用することで、一層効果的なものになる。
【００１５】
本発明の開口部用耐震補強枠は、以上に述べた実施形態に限定されるものではなく、竪材や斜材等の形態やそれらを固定する構造等については適宜変更して良い。斜材は、完全な菱形を成す配置である必要はなく、隣合う斜材の端部同士の間に間隔をおいて配置し、正面から見て六角形や八角形の開口を成すような配置であっても良い。上下左右の各部分毎に配置する斜材は、１本ずつに限らず、多少位置をずらすなどして複数本設けても良い。また本発明の適用範囲は、軸組工法の木造住宅に限定されず、鉄骨造の躯体開口部等にも適用できる。
【００１６】
【発明の効果】
本発明の開口部用耐震補強枠は、まぐさで上下に仕切られた躯体開口部内に一体的な基枠を配置し、基枠の竪材はまぐさの切除部を挿通し、且つ基枠の横材をまぐさの下方位置に配置し、横材の上側と下側に補強パネルと斜材をそれぞれ設けて基枠の変形を確実に防止したので、耐震性を向上させる機能が優れている。しかも基枠が一体的に構成され、一度に施工できるため、施工性が良好である。さらに斜材は、躯体開口部の中央部分を通るのを避けて斜めに配置したので、躯体開口部に良好な視界を確保することができる。
【図面の簡単な説明】
【図１】本発明の開口部用耐震補強枠の一実施形態を示す室内側正面図である。
【図２】図１におけるＡ−Ａ断面図である。
【図３】図１におけるＢ−Ｂ断面図である。
【図４】図１におけるＣ−Ｃ断面図である。
【図５】竪材の下端部を土台に固定する部分を拡大して示す正面図である。
【図６】図５におけるＤ−Ｄ断面図である。
【図７】本発明の開口部用耐震補強枠の別の実施形態を示す室内側正面図である。
【符号の説明】
１　竪材
２　横材
３　躯体開口部
４　基枠
５　補強パネル
６ａ　左上斜材
６ｂ　右上斜材
６ｃ　左下斜材
６ｄ　右下斜材
７　まぐさ
８　固定部材
１２　切除部
【図１】
2004108061.tif 000003
【図２】
2004108061.tif 000004
【図３】
2004108061.tif 000005
【図４】
2004108061.tif 000006
【図５】
2004108061.tif 000007
【図６】
2004108061.tif 000008
【図７】
2004108061.tif 000009